(57)【要約】【課題】ＶＯＸ感度レベル設定キーを１回押すだけで、ＶＯＸ感度レベルを自動的に設定することができるＶＯＸ制御無線通信装置を提供する。【解決手段】入力信号を無線により送信するＶＯＸ制御無線通信装置において、ＶＯＸ感度レベルの自動設定を開始させるＶＯＸ感度レベル設定キーと、ＶＯＸ感度レベル設定キーの操作に基づき入力信号の雑音レベルを検出する雑音レベル検出手段と、雑音レベル検出手段の検出結果に基づきＶＯＸ感度レベルを決定し設定するＶＯＸ感度レベル設定手段とを備える。【選択図】        図１
2004349898.tif 000002
【特許請求の範囲】
【請求項１】
入力信号を無線により送信するＶＯＸ制御無線通信装置において、
ＶＯＸ感度レベルの自動設定を開始させるＶＯＸ感度レベル設定キーと、
ＶＯＸ感度レベル設定キーの操作に基づき入力信号の雑音レベルを検出する雑音レベル検出手段と、
雑音レベル検出手段の検出結果に基づきＶＯＸ感度レベルを決定するＶＯＸ感度レベル設定手段と
を備えたことを特徴とするＶＯＸ制御無線通信装置。
【請求項２】
前記雑音レベル検出手段は、予め設定された特定の時間内に入力信号の雑音レベルを連続して検出するように構成したことを特徴とする請求項１記載のＶＯＸ制御無線通信装置。
【請求項３】
前記ＶＯＸ感度レベル設定手段は、入力信号の雑音レベルを検出するために予め設定された特定の時間経過後に、その時間内で最も大きい雑音レベルの値と、今までに検出された雑音検出レベルの中で最も大きい雑音レベルの値とを加算した値をＶＯＸ感度レベルとして設定するように構成したことを特徴とする請求項１又は２記載のＶＯＸ制御無線通信装置。
【請求項４】
前記ＶＯＸ感度レベル設定手段は、入力信号の雑音レベルを検出するために予め設定された特定の時間経過後に、その時間内の単位時間間隔ごとの各最大値を平均して得た雑音レベルの値と、今までに検出された雑音レベルの中で最も大きい雑音レベルの値とを加算した値をＶＯＸ感度レベルとして設定するように構成したことを特徴とする請求項１又は２記載のＶＯＸ制御無線通信装置。
【請求項５】
ＶＯＸ感度レベル設定後に、受信状態に移行するように構成したことを特徴とする請求項１から４のうちいずれか一項記載のＶＯＸ制御無線通信装置。
【発明の詳細な説明】
【０００１】
【発明の属する技術分野】
本発明は、ＶＯＸ制御無線通信装置に関するものである。
【０００２】
【従来の技術】
従来より、無線通信装置の送信時における省電力技術の１つの方法として、ＶＯＸ（音声動作通信：Ｖｏｉｃｅ  Ｏｐｅｒａｔｅｄ  Ｔｒａｎｓｍｉｔｔｅｒ）が知られている。このＶＯＸ制御を用いた無線通信装置は、マイクロホンなどを通じて入力される音声信号を検出し、音声信号が存在するときのみ送信機の電源をオン状態とし、また、音声信号が存在しないときは、オフ状態とするように構成している。（例えば、特許文献１参照）
【０００３】
特に、携帯電話機などの移動通信機において、その電力はバッテリにより供給されるため、省電力技術として、このＶＯＸ技術が広く用いられている。
【０００４】
ＶＯＸ制御無線通信装置においては、音声信号の検出から送信機がオンされるまでの立ち上がり時間が長すぎると、いわゆる話頭切れが生じてしまい、受信側において聞き取りにくい音声となってしまう。そのため、音声信号の有無の検出は、きわめて重要である。
【０００５】
そこで、従来のＶＯＸ制御無線通信装置における入力される音声信号の有無の判定手段は、一般的に、図４（ａ）に示すような構成によって行なわれていた。この図４（ａ）の音声信号の有無の判定手段は、マイクロホン１から出力された音声信号を増幅する増幅器２と、この増幅器２の出力を検波および平滑する検波平滑回路３と、この検波平滑回路３の出力をデジタル信号に変換するＡ／Ｄ変換ポートへ入力して送受信の切り換え制御を行なうＣＰＵ（Ｃｅｎｔｒａｌ  Ｐｒｏｃｅｓｓｉｎｇ  Ｕｎｉｔ）４とによって構成している。
【０００６】
上記ＣＰＵ４では、図５のフローチャートに示すように、Ａ／Ｄ変換された信号（ステップＳ３）のレベルが、予め設定されたしきい値のレベル、すなわち、ＶＯＸ感度レベルを超えた時、ステップＳ４は、「ＹＥＳ」で、送信機の電源をオンにして送信機を起動させ、送信を開始（ステップＳ５）させ、また、ＶＯＸ感度レベルに達していない時は、ステップＳ４は「ＮＯ」で、ＶＯＸ送信は行なわれない（ステップＳ６）ように構成している。
【０００７】
さらに、ＣＰＵ４は、マイクロホン１からの音声入力が続いていて、Ａ／Ｄ変換の出力レベルが予め設定されたＶＯＸ感度レベルを超えている間は、送信機の送信動作を継続させ、また、ＶＯＸ感度レベル以下になった場合は、送信機の電源をオフにして、送信を停止させるように構成している。
【０００８】
上記ＶＯＸ感度レベル（しきい値）の設定方法としては、例えば、次の２通りの方法がある。その１つの方法としては、図４（ｂ）に示すように、パーソナルコンピュータ５に予めインストールされたデータ書き込みソフトを用い、ＶＯＸ制御無線通信装置本体６へ接続した書き込みケーブル７を通じてＶＯＸ感度レベルの設定値の書き込みを行なう。
【０００９】
もう１つの方法は、図４（ｃ）に示すように、ＶＯＸ制御無線通信装置本体６をＶＯＸ感度レベル調整モードにセットした後、ＶＯＸ制御無線通信装置６の設定を行なう。この場合、ＶＯＸ感度レベルを決定する際には、ヘッドセット８を用い、ＶＯＸ感度レベルを１つの感度レベルごとにユーザーが声を出して音声入力を行ない、適切なＶＯＸ感度レベルをユーザーがその都度判断し、設定を行なっていた。
【００１０】
上記ＶＯＸ感度レベルの設定は、例えば、ＶＯＸ制御無線通信装置本体６に設けられたＶＯＸ感度調整モードで行ない、図６のフローチャートに示すような手順でＶＯＸ感度レベルの設定を行なっていた。
【００１１】
図６において、ＶＯＸ感度レベルの設定を行なう場合は、まずＶＯＸ感度調整モードに設定（ステップＳ１１）した後、図４（ａ）に示すように、マイクロホン１にテスト用の音声を入力（ステップＳ１２）する。マイクロホン１から出力された音声信号は、増幅器２および検波平滑回路３を通じて、ＣＰＵ５でＡ／Ｄ変換（ステップＳ１３）される。このＣＰＵ５でＡ／Ｄ変換された信号レベルが、ユーザーが予定する送信可能レベルにあるかどうかを判断（ステップＳ１４）する。
【００１２】
ユーザーが予定する送信可能レベルに満たないと判断したときは、ステップ１４は、「ＮＯ」で、ステップＳ１２へ再び戻り、マイクロホン１に音声を再入力する。送信可能レベルにあると判断したときは、ステップＳ１４は「ＹＥＳ」で、ＶＯＸ感度レベルに確定するかどうかのステップＳ１５へ進み、ＶＯＸ感度レベルに確定する場合は、ステップＳ１５は「ＹＥＳ」で、ＶＯＸ感度レベルを確定（ステップＳ１６）する。
【００１３】
ＶＯＸ感度レベルを確定しない場合は、ステップＳ１５は「ＮＯ」で、ＶＯＸ感度レベルが低いか、高いかを判断（ステップＳ１９）し、その時の状態に応じて、ＶＯＸ感度レベルを高く（ステップＳ２０）あるいは低く（ステップＳ２１）設定した後、再びマイクロホン１へ音声を入力する（ステップＳ１２）へ戻り、再度、ＶＯＸ感度レベル設定を行なう。
【００１４】
一方、ＶＯＸ感度レベルを確定（ステップＳ１６）した場合は、このＶＯＸ感度レベル調整モードを解除するかどうかを判断（ステップＳ１７）し、解除する場合は、電源をオフ（ステップＳ１８）し、一連のプロセスを終了する。また、ＶＯＸ感度レベル調整モードを解除しないと判断した場合は、ステップＳ１７は「ＮＯ」で、ＶＯＸ感度レベル調整モードを再設定するかどうかの判断（ステップＳ２２）を行なう。
【００１５】
ＶＯＸ感度レベル調整モードの再設定を行なう場合は、ステップＳ２２は、「ＹＥＳ」で、再びステップＳ１２へ戻り、再設定を行なう。また、ＶＯＸ感度レベルの再設定を行なわない場合は、ステップＳ２２は「ＮＯ」で、ＶＯＸ感度レベル調整モードを解除するかどうかの判断をする。ＶＯＸ感度レベル調整モードを解除する場合は、ステップＳ２３は「ＹＥＳ」で、電源をオフ（ステップＳ１８）し、一連のプロセスを終了する。
【００１６】
一方、ＶＯＸ感度レベル調整モードを解除しない場合は、ステップＳ２３は「ＮＯ」で、再び、ＶＯＸ感度レベル調整モードを再設定するかどうか（ステップＳ２２）へ戻る。このような一連の手順によって従来は、ＶＯＸ感度レベルの設定が行なわれていた。
【００１７】
【特許文献１】
特開平８−２０４６０７号公報（第２−３頁、第１図）
【００１８】
【発明が解決しようとする課題】
従来のＶＯＸ制御無線通信装置にあっては、上述したように、ＶＯＸ感度レベルの設定に際しては、適切なＶＯＸ感度レベルをユーザーが判断し、決定しなければならず、また、周囲の雑音の大きさが変動するたびに、ＶＯＸ動作が意に反した動きをとらないように、周囲の雑音の大きさに合わせって、ＶＯＸ感度レベルの設定をその都度ユーザーが手動操作で調整し直す必要があり、大変面倒であるという問題点があった。さらに、ＶＯＸ感度レベルの調整が、１〜１０までなどのように、何段階かに予め決められているので、その決められた範囲内でのＶＯＸ感度レベルの設定を行なわなければならないという問題点があった。
【００１９】
本発明は、従来の技術の有するこのような問題点に鑑みてなされたものであり、ＶＯＸ感度レベルの設定時において、ユーザーが適切なＶＯＸ感度レベルを判断する必要がなく、最適なＶＯＸ感度レベル値に自動的に設定することができるＶＯＸ制御無線通信装置を得ることを目的としており、さらに、周囲の雑音の大きさが変動するたびに、この変動に合わせて、ユーザーが手動操作でいちいちＶＯＸ感度レベルの設定値を再設定する必要のないＶＯＸ制御無線通信装置を提供することを目的としている。
【００２０】
【課題を解決するための手段】
上記目的を達成するために、本発明のＶＯＸ制御無線通信装置においては、入力信号を無線により送信するＶＯＸ制御無線通信装置において、ＶＯＸ感度レベルの自動設定を開始させるＶＯＸ感度レベル設定キーと、ＶＯＸ感度レベル設定キーの操作に基づき入力信号の雑音レベルを検出する雑音レベル検出手段と、雑音レベル検出手段の検出結果に基づきＶＯＸ感度レベルを決定するＶＯＸ感度レベル設定手段とを備えたものである。
【００２１】
また、上記雑音レベル検出手段は、予め設定された特定の時間内に入力信号の雑音レベルを連続して検出するように構成することが効果的である。
【００２２】
また、上記ＶＯＸ感度レベル設定手段は、入力信号の雑音レベルを検出するために予め設定された特定の時間経過後に、その時間内で最も大きい雑音レベルの値と、今までに検出された雑音検出レベルの中で最も大きい雑音レベルの値とを加算した値をＶＯＸ感度レベルとして設定するように構成することが好ましい。
【００２３】
さらに、上記ＶＯＸ感度レベル設定手段は、入力信号の雑音レベルを検出するために予め設定された特定の時間経過後に、その時間内の単位時間間隔ごとの各最大値を平均して得た雑音レベルの値と、今までに検出された雑音レベルの中で最も大きい雑音レベルの値とを加算した値をＶＯＸ感度レベルとして設定するように構成することが好ましい。
【００２４】
また、ＶＯＸ感度レベル設定後に、受信状態に移行するように構成することが効果的である。
【００２５】
【発明の実施の形態】
発明の実施の形態を実施例にもとづき図面を参照して説明する。
本発明に係るＶＯＸ制御無線通信装置の第１の実施例を図１および図２にもとづき説明する。図１は、ＶＯＸ感度レベルを決定する動作手順を示すフローチャートである。図２は、ＶＯＸ感度レベルの設定状態を示す説明図である。
【００２６】
図１において、ＶＯＸ感度レベルの設定を行なう場合は、まず、ＶＯＸ制御無線通信装置本体の操作パネル面に設けたＶＯＸ感度レベル設定キーを１回押す（ステップＳ３１）ことにより、自動的にＶＯＸ感度レベルの設定動作が開始される。また、ＶＯＸ感度レベル設定キーが押されたときには、音あるいは表示手段などによって、ＶＯＸ感度レベルの設定が開始されたことをユーザーに知らせるように構成している。
【００２７】
ＶＯＸ感度レベル設定キーがユーザーによって１回押される（ステップＳ３１）と、マイクロホンは、周囲の雑音を入力（ステップＳ３２）し、その出力は、増幅、検波した後、Ａ／Ｄ変換されてＣＰＵへ取り込む。このステップＳ３２では、予め設定された特定の時間ｔ（例えば、２秒間）連続して周囲の雑音をマイクロホンで拾い、ＣＰＵへ取り込むように構成している。この特定の時間ｔが経過した後、その特定の時間ｔ内で、最も大きい周囲雑音が出た時の値（電圧）ａをＣＰＵで検出する。
【００２８】
この特定の時間ｔ内で検出した周囲雑音の最大値ａに、ＣＰＵに今までに取り込まれた周囲雑音の値（電圧）の中で、最も大きかった雑音の値（電圧）αを加算して、図２に示すようなＶＯＸ感度レベルＡ、あるいはＢとして決定し、確定する。このように、特定の時間ｔ内で検出した周囲雑音の内の最大値ａに、α値を加算する理由は、ＣＰＵに今までに取り込まれた周囲雑音の値の最大値αで、ＶＯＸ送信動作を開始させないようにするためである。
【００２９】
次のステップＳ３４では、ＶＯＸ感度レベルが確定した後に、受信状態（ＶＯＸ制御無線通信装置本体の電源をオンした状態）に戻り、一連のＶＯＸ感度設定動作を終了する。この時、ＶＯＸ感度レベル設定動作が終了したことを音、あるいは表示手段などによってユーザーに知らせるように構成している。
【００３０】
図２は、周囲の雑音が少ない環境下の時、あるいは周囲の雑音が多い環境下の時に、図１で示したＶＯＸ感度レベルの設定動作を実施し、ＶＯＸ感度レベル設定キーを押したことによってスタートするＶＯＸ感度レベルの設定開始からＶＯＸ送信を開始する段階までの動作の一例を示している。雑音が少ない環境下の場合では、ＶＯＸ感度レベルの高い感度Ａに設定し、ユーザーの小さな声でも、ＶＯＸ送信を開始できる状態に設定している。また、雑音が多い環境下の場合では、ＶＯＸ感度レベルの低い感度Ｂに設定し、周囲雑音によって、ＶＯＸ送信状態となってしまうような誤動作を防止している。
【００３１】
このように、周囲雑音の状況の変化に応じて、ＶＯＸ感度レベル設定キーを押すことにより、周囲の雑音状況に変化が生じても、その都度ＶＯＸ感度レベルの値は、自動的に変わり、常に、最適な状態、すなわち、ユーザーが話しをすれば送信動作が開始し、話しをやめると、送信が停止する状態が保たれ、ユーザーが状況に合わせてＶＯＸ感度レベルの設定をし直す必要がない。また、図２に示すように、ＶＯＸ感度レベルの設定、すなわち、しきい値の設定は、電圧ゼロからマイクロホンを通じて入力される変調入力信号の最大値までの間で自由に設定することが可能である。
【００３２】
図３は、本発明に係るＶＯＸ制御無線通信装置におけるＶＯＸ感度レベル設定手段の第２の実施例を示す設定動作説明図である。
この第２の実施例は、ＶＯＸ感度レベルを決定する際に、予め設定された特定の時間ｔ（例えば、２秒間）内を数ミリ秒から数十ミリ秒の単位時間間隔に連続して分け、その各単位時間間隔内における最大の雑音の値（電圧）をそれぞれＣＰＵへ取り込むように構成している。
【００３３】
上記各単位時間間隔内における最大の雑音の値は、特定の時間ｔ内においてカウントされた数で平均値をとった値（電圧）ｂに、第１の実施例で述べたと同様のα値（電圧）を加算して、ＶＯＸ感度レベルとして決定し、確定するように構成したものである。このように構成することにより、第１の実施例と同様の効果を得ることができる。
【００３４】
【発明の効果】
本発明は、以上説明したように構成されているので、周囲の雑音の大きさが変わっても、ＶＯＸ感度レベル設定キーを１回押すだけで、ＶＯＸ感度レベルは自動的に設定することができ、従来のように、ユーザーがいちいち手動による再設定する必要がなくなるという効果がある。
【図面の簡単な説明】
【図１】本発明に係るＶＯＸ制御無線通信装置のＶＯＸ感度レベルを決定する手順の実施例を示すフローチャートである。
【図２】図１の実施例のＶＯＸ感度レベル設定状態を示す説明図である。
【図３】本発明に係るＶＯＸ制御無線通信装置のＶＯＸ感度レベル設定状態の第２の実施例を示す説明図である。
【図４】従来のＶＯＸ感度レベル設定方法を示す説明図である。
【図５】従来のＶＯＸ制御無線通信装置におけるのＶＯＸ感度レベルを決定する手順を示すフローチャートである。
【図６】従来のＶＯＸ感度レベル設定手順の一例を示すフローチャートである。
【符号の説明】
１      マイクロホン
２      増幅器
３      検波平滑回路
４      ＣＰＵ
５      ＶＯＸ制御無線通信装置本体
６      パーソナルコンピュータ
７      書き込みケーブル
８      ヘッドセット
【図１】
2004349898.tif 000003
【図２】
2004349898.tif 000004
【図３】
2004349898.tif 000005
【図４】
2004349898.tif 000006
【図５】
2004349898.tif 000007
【図６】
2004349898.tif 000008